(57)【要約】【課題】無線処理回路、電源回路、発電部品、およびセンサに対して熱による影響が及ぶことが抑制された、発電機構を有するワイヤレスセンサ付き軸受を提供する。【解決手段】ワイヤレスセンサ付き軸受１０は、カバー７と、カバー７の外側に形成された冷却フィン８を有する。カバー７は、軸受本体１を構成し相対回転する第一環状体１１および第二環状体１２のいずれか一方の外側に取り付けられて、軸受本体１との間に空間９を形成する。コイル２、センサ、無線処理回路、および電源回路が、空間９に配置され、カバー７の内側に熱伝導性ゲルを挟んで固定されている。【選択図】図３
2019007580.tif 000002
【特許請求の範囲】
【請求項１】
相対回転する第一環状体および第二環状体を備え、前記第一環状体は前記第二環状体より大径である軸受本体と、
前記軸受本体に関する物理量を検出するセンサと、
コイルと磁石を含む発電部品であって、前記第一環状体側に固定される第一発電部品および前記第二環状体側に固定される第二発電部品とからなり、前記第一環状体および前記第二環状体の相対回転により前記コイルに電磁誘導を生じさせて発電する発電部品と、
前記センサの検出結果に基づく情報を、アンテナを介して無線送信する処理を行う無線処理回路と、
電磁誘導により前記コイルに生じた電力を前記センサおよび前記無線処理回路に供給する電源回路と、
前記第一環状体および第二環状体のいずれか一方の外側に取り付けられて、前記軸受本体との間に空間を形成するカバーと、
前記カバーの外側に形成された冷却フィンと、
を有し、
前記アンテナは前記カバーの外側の前記冷却フィンと干渉しない位置に形成され、
前記コイル、前記センサ、前記無線処理回路、および前記電源回路が、前記空間に配置され、前記カバーの内側に熱伝導性ゲルを挟んで固定されているワイヤレスセンサ付き軸受。  
【請求項２】
前記軸受本体は、内輪、外輪、および転動体を有するラジアル軸受であり、
前記カバーは、前記ラジアル軸受の軸方向端部に固定され、前記ラジアル軸受の外周面の直径以下の外周面を有する円筒部と、前記円筒部の軸方向一端面に形成された穴開き円板部と、を有し、
前記冷却フィンは、前記穴開き円板部の外面に形成されている請求項１記載のワイヤレスセンサ付き軸受。
【発明の詳細な説明】
【技術分野】
【０００１】
この発明は、発電機構を有するワイヤレスセンサ付き軸受に関する。
【背景技術】
【０００２】
従来より、発電機構を有するワイヤレスセンサ付き軸受が提案されている（例えば、特許文献１を参照）。ワイヤレスセンサ付き軸受は、軸受に取り付けられたセンサの検出信号をケーブルを使用せずに無線送信するものであり、送信アンテナと無線処理回路を備えている。発電機構を有するワイヤレスセンサ付き軸受は、さらに、軸受の回転により発電する発電部品と、発電により生じた電力をセンサおよび無線処理回路に供給する電源回路を備えている。
また、特許文献１には、ラジアル玉軸受の軸方向一端にカバーが取り付けられたワイヤレスセンサ付き軸受が記載されている。このカバーは、軸受との間にドーナツ状の空間が形成される構造を有し、センサ基板と無線通信基板（電源回路および無線処理回路を含む基板）がこの空間内に配置されて、カバーに固定されている。また、カバーは外輪に固定され、コイルと磁石を含む第一発電部品がカバー内に固定されている。この第一発電部品と向かい合うトーンリング（第二発電部品）が、内輪に固定されている。軸受の回転に伴い、第一発電部品および第二発電部品が相対回転することで、コイルに電磁誘導が生じて発電する。
【先行技術文献】
【特許文献】
【０００３】
【特許文献１】特開２０１６−１３０５７７号公報
【発明の概要】
【発明が解決しようとする課題】
【０００４】
このような発電機構を有するワイヤレスセンサ付き軸受では、軸受が回転することで軸受部品から熱が発生し、発電に伴ってコイルに熱が発生し、軸受の使用環境温度が上昇することで熱が発生する。よって、これらの熱の影響により、無線処理回路および電源回路の誤作動や、センサ、発電部品、無線処理回路、および電源回路の故障が生じることを防止する必要がある。
この発明の課題は、無線処理回路、電源回路、発電部品、およびセンサに対して熱による影響が及ぶことが抑制された、発電機構を有するワイヤレスセンサ付き軸受を提供することである。
【課題を解決するための手段】
【０００５】
上記課題を解決するために、この発明の一態様のワイヤレスセンサ付き軸受は、下記の構成要件(1) 〜(6) を有する。
(1) 相対回転する第一環状体および第二環状体を備え、第一環状体は第二環状体より大径である軸受本体と、軸受本体に関する物理量を検出するセンサと、を有する。
(2) コイルと磁石を含む発電部品であって、第一環状体側に固定される第一発電部品および第二環状体側に固定される第二発電部品とからなり、第一環状体および第二環状体の相対回転により前記コイルに電磁誘導を生じさせて発電する発電部品を有する。
(3) センサの検出結果に基づく情報を、アンテナを介して無線送信する処理を行う無線処理回路を有する。
(4) 電磁誘導によりコイルに生じた電力をセンサおよび無線処理回路に供給する電源回路を有する。
(5) 第一環状体および第二環状体のいずれか一方の外側に取り付けられて、軸受本体との間に空間を形成するカバーと、カバーの外側に形成された冷却フィンと、を有する。
(6) アンテナはカバーの外側の冷却フィンと干渉しない位置に形成されている。コイル、センサ、無線処理回路、および電源回路が、上記空間に配置され、カバーの内側に熱伝導性ゲルを挟んで固定されている。
【発明の効果】
【０００６】
この発明の一態様のワイヤレスセンサ付き軸受は、発電機構を有するワイヤレスセンサ付き軸受であって、無線処理回路、電源回路、発電部品、およびセンサに対して熱による影響が及ぶことが抑制される。
【図面の簡単な説明】
【０００７】
【図１】実施形態のワイヤレスセンサ付き軸受を示す図であって、軸受本体は分解せず、軸受本体以外は分解して示す斜視図である。
【図２】実施形態のワイヤレスセンサ付き軸受を、軸受本体側とカバー側とに分けて示す図であって、図１とは反対側の面から見た斜視図である。
【図３】実施形態のワイヤレスセンサ付き軸受を示す断面図である。
【図４】実施形態のワイヤレスセンサ付き軸受を構成する発電部品による発電機構を説明する図である。
【図５】実施形態のワイヤレスセンサ付き軸受を構成するコイルと、各回路と、センサとの接続関係を示すブロック図である。
【図６】実施形態のワイヤレスセンサ付き軸受を構成する電源回路の構成例を示すブロック図である。
【図７】実施形態のワイヤレスセンサ付き軸受におけるカバーに対するアンテナ取り付け方法を説明する図であって、取り付け前（ａ）と、取り付け後（ｂ）を示す斜視図である。
【発明を実施するための形態】
【０００８】
以下、この発明の実施形態について説明するが、この発明は以下に示す実施形態に限定されない。以下に示す実施形態では、この発明を実施するために技術的に好ましい限定がなされているが、この限定はこの発明の必須要件ではない。
【０００９】
［構成］
先ず、この実施形態のワイヤレスセンサ付き軸受の構成を説明する。
図１および２に示すように、この実施形態のワイヤレスセンサ付き軸受１０は、ラジアル玉軸受（軸受本体）１、複数の第一発電部品２、トーンリング（第二発電部品）３、送信アンテナ４、センサ・無線処理回路基板（センサと無線処理回路を含む基板）５、電源回路基板６、カバー７、および複数の冷却フィン８を有する。
ラジアル玉軸受１は、図３に示すように、外輪（第一環状体）１１、内輪（第二環状体）１２、複数の玉（転動体）１３、保持器１４、および一対のシール１５からなる。外輪１１の軸方向一端部の外周面に、カバー７を取り付けるための溝１１ａが形成されている。内輪１２の軸方向一端部の内周面に、トーンリング３を取り付けるための溝１２ａが形成されている。
【００１０】
第一発電部品２は、コイルと磁石とヨークとからなり、第二発電部品（ヨーク）であるトーンリング３との間に磁気回路を形成するものである。第一発電部品２は、例えば図４に示すように、磁石２１と二枚のヨーク２２とコイル２３とからなる。二枚のヨーク２２は、磁石２１をＮ極側とＳ極側で挟んでいる。 ヨーク２２の磁石２１のＮＳ方向に垂直な方向の長さは磁石２１よりも長く、その長さ方向の一端部で二枚のヨーク２２は磁石２１を挟んでいる。コイル２３は、ヨーク２２の磁石２１を挟んでいない部分に巻かれた導体ワイヤからなる。また、ヨーク２２の上記長さ方向の他端部がコイル２３からはみ出している。
【００１１】
トーンリング３は円環状であって、電磁鋼等の比透磁率の高い材料で形成されている。トーンリング３は、円環の軸方向で、内輪１２の溝１２ａに嵌まる取り付け部３１と、取付状態で内輪１２から軸方向に突出するヨーク部３２と、に分けられる。ヨーク部３２の円環の外周面には、一定間隔で凸部３２ａが形成されている。凸部３２ａの上面は円弧面であり、その径は円環の外周円の径より大きい。
送信アンテナ４は、長方形の板状に形成されている。
センサ・無線処理回路基板５は、センサが実装されているとともに、無線処理回路が形成されている基板である。センサ・無線処理回路基板５は、図５に示すように、センサ５１と、制御回路（無線処理回路）５２と、無線回路（無線処理回路）５３を有する。
【００１２】
センサ５１として、回転センサ（回転数検出センサ）５１ａ、温度センサ（温度検出センサ）５１ｂ、振動センサ（振動検出センサ）５１ｃ、湿度センサ（湿度検出センサ）５１ｄ、ガスセンサ（ガス濃度検出センサ）５１ｅ、および超音波センサ（摩擦音検出センサ、変形量検出センサ）５１ｆを備えている。
センサ・無線処理回路基板５および電源回路基板６には、コイル２３に生じた電力が、電源回路６０を介して駆動電力として、センサ５１、制御回路５２、および無線回路５３に供給されるように、電気的な配線等が形成されている。また、センサ・無線処理回路基板５には、センサ５１の検出結果が制御回路５２へ入力されるように、電気的な配線等が形成されている。
【００１３】
センサ５１は、制御回路５２に、センサ５１の検出結果を示す信号Ｓ１を送信する。制御回路５２は、センサ５１の検出結果を演算処理し、この演算結果を示す信号Ｓ２と制御信号Ｓ３を無線回路５３に送信する。この制御信号Ｓ３は、無線回路５３の無線送信動作を制御する信号である。この実施形態では、予め設定した周期で検出結果を無線送信し、送信時以外はスリープ状態となるように無線回路５３の動作を制御する。
無線回路５３は、制御回路５２からの制御信号Ｓ３に従って、予め設定した周期で、演算結果を示す信号Ｓ２を、送信アンテナ４を介して外部に無線送信し、送信タイミング以外ではスリープ状態となるように動作する。この無線送信された演算結果は、上位装置等が備える無線受信部１００によって受信される。
【００１４】
電源回路基板６は、電源回路６０が形成されている基板である。電源回路６０は、電磁誘導によりコイル２３に生じた電力をセンサ５１と、制御回路５２および無線回路５３からなる無線処理回路に供給する回路であり、図６に示すように、整流回路６１と、平滑回路６２と、蓄電回路６３と、蓄電用二次電池６４と、定電圧出力回路６５を備える。
整流回路６１は、コイル４０から入力される起電力（交流電力）を整流して直流電力へと変換し、この直流電力を平滑回路６２へと出力する。
平滑回路６２は、整流回路６１からの直流電力を平滑化して直流電力から交流成分を低減し、この低減後の直流電力を蓄電回路６３に出力する。
【００１５】
蓄電回路６３は、制御回路５２の演算処理及び無線回路５３の無線送信処理が実行される期間は、平滑回路６２から入力された直流電力を定電圧出力回路６５に出力し、いずれの処理も実行されない期間は、平滑回路６２から入力された直流電力によって蓄電用二次電池６４を充電する。
定電圧出力回路６５は、蓄電回路６３からの直流電力又は蓄電用二次電池６４からの直流電力を、一定電圧Ｖｂの駆動電力として、制御回路５２、無線回路５３、及びセンサ５１に供給する。なお、この実施形態では、蓄電用二次電池６４に蓄電された電力は、センサ５１、制御回路５２及び無線回路５３の起動後のサポート用の駆動電力として用いられる。
【００１６】
カバー７は、図１〜図３に示すように、外輪１１の外径と同じ外径を有する円筒部７１と、円筒部７１の軸方向一端面に形成された穴開き円板部７２と、からなる。穴開き円板部７２の穴７２ａの直径はトーンリング３の外径より少し大きい。
図１に示すように、穴開き円板部７２の内面（カバー７の軸方向内面）７２ｂに、扇形の厚板部７３が形成されている。図７（ａ）に示すように、厚板部７３が形成されている部分の穴開き円板部７２の外面７２ｃに、送信アンテナ４を配置する長方形の凹部７４が形成されている。凹部７４の深さは送信アンテナ４の厚さと略同じである。凹部７４は、厚板部７３を貫通する長方形の貫通穴７３ａを有する。貫通穴７３ａの長方形は送信アンテナ４の長方形より小さい。つまり、凹部７４は枠状に形成されている。
【００１７】
送信アンテナ４は、接着剤等により枠状の凹部７４に固定されて、カバー７の外面７２ｃからはみ出さない状態となる。
また、穴開き円板部７２の内面７２ｂの厚板部７３が形成されていない部分に、第一発電部品２およびセンサ・無線処理回路基板５を取り付けるための取付穴７２ｄが形成されている。
複数の冷却フィン８は、図２および図７に示すように、板状であって、穴開き円板部７２の外面７２ｃから垂直に立ち上がるように形成されている。また、複数の冷却フィン８は、穴開き円板部７２の外縁部および凹部７４を除く全ての部分に形成されている。さらに、複数の冷却フィン８は、穴開き円板部７２の内縁部では凹部７４の位置にも形成されている。また、複数の冷却フィン８は、各板面を平行にして配置されている。なお、冷却フィンの形状は、板状に限らずピン状であってもよい。
【００１８】
カバー７は、例えば、金属板のプレス成形により一体に形成されたものである。また、冷却フィン８は、カバー７と別に形成され、ねじ止め、接着、溶接などでカバー７に固定されている。冷却フィン８は、熱伝導率の高い材料（例えば、銅、 アルミニウム、鉄鋼、ステンレス）で形成されていることが好ましい。
なお、ヨーク２２、コイル２３、センサ・無線処理回路基板５、電源回路基板６、およびカバー７は、それぞれ絶縁処理が施され、短絡して破損することが防止されている。
【００１９】
［組立］
この実施形態のワイヤレスセンサ付き軸受１０は、以下の方法で組み立てられる。
先ず、図１に示すカバ−７の穴開き円板部７２の内面７２ｂに、第一発電部品２、センサ・無線処理回路基板５、および電源回路基板６を固定する。
第一発電部品２は、内面７２ｂの厚板部７３の隣に配置し、取付穴７２ｄを使用して穴開き円板部７２にねじ止めする。センサ・無線処理回路基板５は、内面７２ｂの厚板部７３の第一発電部品２とは反対側の隣に配置し、取付穴７２ｄを使用して、穴開き円板部７２ｂにねじ止めする。電源回路基板６は、内面７２ｂの第一発電部品２とセンサ・無線処理回路基板５との間に配置し、接着剤等により穴開き円板部７２に固定する。
【００２０】
これらのねじ止め・固定時に、コイル２３、センサ・無線処理回路基板５、および電源回路基板６とカバー７との間に熱伝導性ゲルを挟む。具体的には、例えば熱伝導率が１〜１０Ｗ／（ｍ・ｋ）程度のグリース状の熱伝導性ゲルを、コイル２３、センサ・無線処理回路基板５、および電源回路基板６のカバー７との接触面に、ほぼ均等に塗布してから、ねじ止め・固定を行う。
また、送信アンテナ４をカバー７の外面７２ｃの凹部７４に接着剤で固定して、図７（ｂ）の状態にする。
【００２１】
図１に示すように、センサ・無線処理回路基板５は、一端が無線回路５３に接続された配線５５を有する。この配線５５の他端を、送信アンテナ４の貫通穴７３ａに露出する面に接続する。また、電源回路基板６と複数の第一発電部品２のコイル２３とを配線で接続し、電源回路基板６とセンサ・無線処理回路基板５のセンサ５１、制御回路５２、および無線回路５３とを配線で接続する。
次に、カバ−７の外面７２ｃに複数の冷却フィン８を、ねじ止め、接着、溶接などで固定する。なお、冷却フィン８の固定は、第一発電部品２などをカバー７の内面７２ｂに固定する前に行ってもよい。
このようにして、 図２に示すカバー側部材７０を得る。
【００２２】
次に、ラジアル玉軸受１の内輪１２の内周面に形成された溝１２ａに、トーンリング３の取り付け部３１を嵌めて固定する。次に、ラジアル玉軸受１の外輪１１の外周面に形成された溝１１ａに、カバー側部材７０のカバー７の円筒部７１の開口側端部を嵌めて固定する。その際に、外輪１１の溝１１ａとカバー７との間に熱伝導性ゲルを挟む。具体的には、上述のグリース状の熱伝導性ゲルを溝１１ａのカバー７との接触面に、ほぼ均等に塗布してから固定する。トーンリング４およびカバー７の固定方法は、圧入、加締め、ねじ止めのいずれの方法でもよい。
【００２３】
これにより、図３に示すように、カバー７とラジアル玉軸受１との間に空間９が形成され、カバー７に固定されている第一発電部品２、センサ・無線処理回路基板５、および電源回路基板６が、空間９に配置される。そして、上述のグリース状の熱伝導性ゲルが、コイル２３、センサ・無線処理回路基板５、電源回路基板６、および外輪１１と、カバー７との間に、ほぼ均等に存在する。
また、トーンリング３は径方向でカバー７の穴７２ａの内側に配置され、トーンリング３のヨーク部３２の外周面と、第一発電部品２のヨーク２２の端面２２ａとが対向する。これに伴い、第一発電部品２の磁石２１およびヨーク２２とトーンリング３のヨーク部３２とで、磁気回路が形成される。
【００２４】
ここで、図４に示すように、ヨーク部３２の凸部３２ａが形成されている部分では、凸部３２ａが形成されていない部分（凹部）よりも、ヨーク部３２の外周面とヨーク２２の端面２２ａとの距離が小さい。そのため、第一発電部品２の磁石２１およびヨーク２２とトーンリング３のヨーク部３２とで形成される磁界の磁束密度は、図４（ａ）に示す第一発電部品２がトーンリング３の凸部３２ａと対向している部分で、図４（ｂ）に示す第一発電部品２がトーンリング３の凹部（ヨーク部３２の凸部３２ａが形成されていない部分）と対向している部分よりも大きくなる。
【００２５】
［動作］
次に、この実施形態のワイヤレスセンサ付き軸受１０の動作を説明する。
この実施形態のワイヤレスセンサ付き軸受１０は、外輪１１をハウジングに固定し、内輪１２に軸を嵌合して使用される。この状態で軸を回転させた場合、トーンリング３が内輪１２とともに回転し、外輪１１に固定されたカバー７は回転しない（つまり、トーンリング３とカバー７は相対回転する）ため、カバー７に固定された第一発電部品２とトーンリング（第二発電部品）３との間に相対回転が生じる。
この相対回転により、上述の図４（ａ）と図４（ｂ）の状態が交互に現れる。つまり、第一発電部品２の磁石２１およびヨーク２２とトーンリング３のヨーク部３２とで形成される磁界の磁束密度が、周期的に変化する。これに伴い、図４にグラフで示すように、コイル２３に正弦波（つまり、交流）の起電力が発生する。
【００２６】
この交流の起電力Ｉｃは、図５に示すように、電源回路６０に入力され、図６に示す電源回路６０において、整流回路６１で整流された後に平滑回路６２で平滑化されて、直流電力に変換される。そして、この直流電力が、蓄電回路６３を経て定電圧出力回路６５から一定電圧Ｖｂの駆動電力として、制御回路５２、無線回路５３及びセンサ５１へと供給される。
これにより、所定電力以上の駆動電力が供給されることで、センサ５１、制御回路５２及び無線回路５３が起動する。ここでは、センサ５１、制御回路５２及び無線回路５３がいずれも起動したとする。
【００２７】
これに伴い、センサ５１を構成する回転センサ５１ａによりラジアル玉軸受１の回転数が検出される。温度センサ５１ｂにより、カバー７とラジアル玉軸受１との間の空間９内の温度が検出される。振動センサ５１ｃにより、ラジアル玉軸受１に生じる振動が検出される。湿度センサ５１ｄにより空間９内の湿度が検出される。ガスセンサ５１ｅにより、空間９内の特定のガス（例えば、潤滑油の酸化劣化に伴って生じるガス状の炭化水素、硫化水素、アンモニア）の濃度が検出される。超音波センサ５１ｆにより、ワイヤレスセンサ付き軸受１０に生じる摩擦音が検出される。そして、これらの検出結果を示す信号Ｓ１が制御回路５２に入力される。
【００２８】
制御回路５２は、センサ５１から入力された信号Ｓ１に基づいて各検出結果を演算処理し、この演算結果を示す信号Ｓ２と、演算結果の送信周期を示す制御信号Ｓ３を、無線回路５３に出力する。
無線回路５３は、制御回路５２からの演算結果を示す信号Ｓ２を、制御信号Ｓ３に従った送信周期で無線信号に変換して、送信アンテナ４に出力する。送信アンテナ４は、演算結果（センサ５１の検出結果）を示す信号を所定周期で無線送信する。送信アンテナ４を介して無線送信された演算結果は、上位装置等が備える無線受信部１００により受信される。
また、制御回路５２による演算処理及び無線回路５３による無線送信処理が実行されない期間は、蓄電回路６３によって蓄電用二次電池６４の充電が行われる。即ち、蓄電回路６３が余剰分の電力を蓄電する。蓄電用二次電池６４に蓄電された電力は、センサ５１、制御回路５２及び無線回路５３の起動後の駆動サポートに用いられる。
【００２９】
［作用、効果］
この実施形態のワイヤレスセンサ付き軸受１０では、ラジアル玉軸受１が回転することで、玉１３と負荷状態で接触する外輪軌道溝１１ｂおよび内輪軌道溝１２ｂから熱が発生するとともに、発電に伴ってコイル２３に熱が発生する。また、使用環境温度が上昇することでも、ワイヤレスセンサ付き軸受１０に熱が発生する。そして、これらの熱が、カバー７を介して冷却フィン８から外部に放出される。
これにより、センサ・無線処理回路基板５、電源回路基板６、および第一発電部品２が高温になることが防止できる。そのため、熱の影響で、制御回路５２、無線回路５３および電源回路６０の誤作動や、センサ５１、第一発電部品２、制御回路５２、無線回路５３、および電源回路６０の故障が生じることが防止できる。
【００３０】
また、外輪１１の溝１１ａ、コイル２３、センサ・無線処理回路基板５、および電源回路基板６と、カバー７との間に熱伝導性ゲルを挟んでいるため、これらの部分に発した熱をカバー７を介して冷却フィン８に効率よく伝導することができる。つまり、放熱効率が高くなる。なお、熱伝導性ゲルとしては、 上述のグリース状のもの以外に、コンパウンド状やシート状のものが挙げられる。また、熱伝導性ゲルとして、金属粉やカーボン粉が添加されているものを使用することで、熱伝導効率をさらに向上できる。
【００３１】
また、この実施形態のワイヤレスセンサ付き軸受１０は、センサ・無線処理回路基板５が、演算結果を示す信号を所定周期で送信アンテナ４を介して無線送信するように構成されている。これにより、無線送信時以外は、無線回路５３および送信アンテナ４が作動しないため、常時作動するように構成されているものと比較して、消費電力が低減できる。  また、カバー７に枠状の凹部７４を設けることで、簡単に、送信アンテナ４をカバー７からはみ出さずに取り付けることができるため、ワイヤレスセンサ付き軸受１０の組み立て性能が向上する。なお、送信アンテナ４の形状は、長方形の薄板状に限定されず、長方形以外の多角形や円形の薄板状であってもよい。また、送信アンテナ４の固定は、接着に限定されず、圧入や溶接で行ってもよい。また、送信アンテナ４をカバー７と一体に形成してもよい。
【００３２】
［備考］
上記実施形態では、ワイヤレスセンサ付き軸受１０を構成するラジアル玉軸受１の内輪１２を回転輪としているが、外輪１１を回転輪としてもよい。
上記実施形態には、軸受本体としてラジアル玉軸受１を有するワイヤレスセンサ付き軸受１０が記載されているが、軸受本体は、玉軸受以外のラジアル軸受であってもよいし、スラスト軸受であってもよいし、滑り軸受であってもよい。 滑り軸受の場合は、内周面が滑り面となる外筒体が第一環状体に相当し、外周面が滑り面となり軸に嵌めるブッシュが第二環状体に相当する。
【符号の説明】
【００３３】
１  ラジアル玉軸受（軸受本体）
１１  外輪（第一環状体）
１１ａ  カバーを取り付けるための溝
１２  内輪（第二環状体）
１２ａ  トーンリングを取り付けるための溝
１３  玉（転動体）
１４  保持器
１５  シール
２  第一発電部品
２１  磁石
２２  ヨーク
２３  コイル
３  トーンリング（第二発電部品）
３１  トーンリングの取り付け部
３２  トーンリングのヨーク部
３２ａ  ヨーク部の外周面の凸部
４  送信アンテナ
５  センサ・無線処理回路基板（センサと無線処理回路を含む基板）
５１  センサ
５２  制御回路（無線処理回路）
５３  無線回路（無線処理回路）
５１ａ  回転センサ（回転数検出センサ）
５１ｂ  温度センサ（温度検出センサ）
５１ｃ  振動センサ（振動検出センサ）
５１ｄ  湿度センサ（湿度検出センサ）
５１ｅ  ガスセンサ（ガス濃度検出センサ）
５１ｆ  超音波センサ（摩擦音検出センサ、変形量検出センサ）
６  電源回路基板
６０  電源回路
６１  整流回路
６２  平滑回路
６３  蓄電回路
６４  蓄電用二次電池
６５  定電圧出力回路
７  カバー
７１  円筒部
７２  穴開き円板部
７２ａ  穴開き円板部の穴
７２ｂ  穴開き円板部の内面（カバーの軸方向内面）
７２ｃ  穴開き円板部の外面（カバーの外面）
７２ｄ  穴開き円板部の取付穴
７３  厚板部
７４  凹部
８  冷却フィン
９  軸受本体とカバーとで形成される空間
１０  ワイヤレスセンサ付き軸受
１００  無線受信部
【図１】
2019007580.tif 000003
【図２】
2019007580.tif 000004
【図３】
2019007580.tif 000005
【図４】
2019007580.tif 000006
【図５】
2019007580.tif 000007
【図６】
2019007580.tif 000008
【図７】
2019007580.tif 000009